(57)【要約】【課題】効率的に操作パネルのテンキー面を照光させるとともに、発光素子（ＬＥＤ）の部品点数を削減することができる携帯端末装置を提供する。【解決手段】携帯電話機の可動側筐体の内部に、複数のテンキー１１１が配列された操作パネル１１５の一端側に２個の発光素子７００を配設するとともに、発光素子７００から操作パネル１１５に向けて放射される光を、操作パネル１１５の下方位置に導き面状に拡散させる導光シート部材４００を備える。【選択図】        図２
2009246821.tif 000002
【特許請求の範囲】
【請求項１】
可動側筐体と連結ヒンジ部を介して重ね合わせ自在に連結される固定側筐体とを備える携帯端末装置であって、
前記固定側筐体は、
複数のテンキーが配列された操作パネルと、
前記操作パネルの一端側に配設された少なくも２個の発光素子と、
前記発光素子から放射される光を、前記操作パネルの下方位置に導くとともに、面状に拡散させる導光シート部材とを備えることを特徴とする携帯端末装置。
【請求項２】
前記発光素子の上面部には、前記導光シート部材に向けて照射される光以外の光の放射を遮る遮光シート部材が設けられることを特徴とする請求項１に記載の携帯端末装置。
【請求項３】
前記遮光シート部材は、光の隠蔽性が高い黒色素材からなる黒色シート部材と、光の拡散性が高い白色素材からなる白色シート部材と、粘着層を有する粘着シート部材との３層部材を備え、前記白色シート部材が前記導光シート部材と対向するように前記粘着シート部材により貼り付け固定されることを特徴とする請求項１または２に記載の携帯端末装置。
【請求項４】
前記導光シート部材は、前記操作パネルの全体形状よりも僅かに寸法が大きくなるように形成された面状のシート部材であることを特徴とする請求項１、２または３に記載の携帯端末装置。
【請求項５】
前記導光シート部材は、薄肉状のシート部材により形成されることを特徴とする請求項１〜４の何れか一つに記載の携帯端末装置。
【発明の詳細な説明】
【技術分野】
【０００１】
本発明は、固定側筐体に操作パネルを備えた携帯端末装置に関し、特に、テンキーなどの操作キーを備えた操作パネルの発光を少ない発光素子（ＬＥＤ）で効率良く行なうことのできる携帯端末装置に関するものである。
【背景技術】
【０００２】
従来から携帯電話機には、通話を行なう時などに、操作パネルのキー操作を行なうと、この操作パネルに配置されているテンキーを多色発光のバックライトなどで照光する照光装置が設けられているものが多い。このように、キー操作時にテンキーを一定時間照光させることで暗所などでの操作性や視覚的な操作性を備えることができる（例えば、特許文献１参照）。
【０００３】
【特許文献１】特開平６−３１８８９７号公報
【発明の開示】
【発明が解決しようとする課題】
【０００４】
ところが、上述した従来例の照光装置を備えた携帯電話機の場合、操作パネルに配列した複数のテンキーを均一に照光させるために、これら複数のテンキーの近傍には、複数の発光素子（ＬＥＤ）を配置させる必要があったため、部品点数の増加にともないコストが嵩むという問題があった。
【０００５】
また、近年では、携帯電話機が薄型化となる傾向となっているため、このように、発光素子（ＬＥＤ）を複数個配置させた場合には、装置の厚みが嵩むみ薄型化とすることができなくなるという問題も生じていた。このため、少ない個数の発光素子（ＬＥＤ）により効率的にテンキー面を照光させることができる携帯電話機の実現が望まれている。
【０００６】
そこで、この発明は、上述した従来技術の課題を解決するためになされたものであり、効率的に操作パネルのパネル面を照光させることができるうえ、使用する発光素子（ＬＥＤ）の部品点数を削減することのできる携帯端末装置を提供することを目的とする。
【課題を解決するための手段】
【０００７】
携帯端末装置を構成する固定側筐体の内部には、複数のテンキーが配列された操作パネルと、操作パネルの一端側に配設された少なくも２個の発光素子（ＬＥＤ）と、この発光素子から放射される光を、操作パネルの下方位置に導くとともに導いた光を面状に拡散させる導光シート部材を備えることを要件とする。
【発明の効果】
【０００８】
携帯端末装置の固定側筐体は、複数のテンキーが配列された操作パネルと、操作パネルの一端側に配設された少なくも２個の発光素子と、導光シート部材とを備えるので、導光シート部材により発光素子から放射された光を、操作パネルの下方位置に導くとともに面状に拡散させることができる。これによって、効率的にテンキー面を照光させることができるうえ、発光素子（ＬＥＤ）の部品点数の削減を図ることができる。
【発明を実施するための最良の形態】
【０００９】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１０】
先ず、図１を用いて携帯端末装置の全体構成を説明する。ここで、図１は、本発明の実施例１に係る携帯電話機の開放状態を示す斜視図である。同図に示すように、携帯電話機１０は、掌サイズの固定側筐体１００および可動側筐体２００と、これら固定側筐体１００および可動側筐体２００を連結部３００により組み付けている。
【００１１】
すなわち、同図に示すように、携帯電話機１０は、送話用に用いられるとともに、数字キー（０〜９）を有するテンキー１１１および機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを、２つのヒンジ部３１０、３２０とを備えた連結部３００により折り畳み自在に連結している。
【００１２】
これら固定側筐体１００及び可動側筐体２００は、箱形状に形成され、その材料には、例えば、軽量で高強度のマグネシウム合金などが使用されている。 
【００１３】
このうち、固定側筐体１００は、テンキー１１１などの各種操作キーを有する操作パネル１１５が配置された固定フロントケース１１０と、背面側（図１の下側)に位置する固定リアケース１２０との２分割構造を備えている。
【００１４】
同図に示すように、固定フロントケース１１０には、上述したテンキー１１１、機能キー１１２、テレビ電話キー１１３や携帯電話機１０の利用者の音声を電気信号に変換するマイクロホンが内部に配設された送話口１１４など設けられている。そして、これら両ケース１１０、１２０は、それぞれ４箇所の位置で取り付けネジ（図示せず）によるネジ止め固定により組み付けられている。
【００１５】
同様に、可動側筐体２００は、表示パネル２１１側に位置する可動フロントケース２１０と、背面側（図１の下側）に位置する可動リアケース２２０との２分割構造を備えている。このうち、可動フロントケース２１０の上部には、携帯電話機１０の使用者の耳を当てて音声を聞き取るための受話口２１２が配設されている。
【００１６】
これら、両ケース２１０、２２０もそれぞれ４箇所の位置で取り付けネジ(図示せず)により取り付け固定されるとともに、表示パネル２１１の上部位置には、ネジ用の目隠しカバー２１３が設けられている。
【００１７】
[携帯電話機１０の特徴]
ここで、本実施例１に係る携帯電話機１０において、固定側筐体１００は、複数のテンキー１１１が配列された操作パネル１１５の一端側(図２の左側)に２個の発光素子７００（ＬＥＤ）を配設するとともに、この発光素子７００から放射される光を、操作パネル１１５の下方位置に導くとともに、面状に拡散させる導光シート部材４００を備えたことに特徴がある。
【００１８】
［導光シート部材４００および遮光シート３５０の詳細］
以下、図２〜図５を用いて、固定フロントケース１１０の内部に設けられた導光シート部材４００および遮光シート３５０の詳細について説明する。ここで、図２は、図１に示した固定側筐体１００を構成する固定フロントケース１１０の分解斜視図である。また、図３は、導光シート部材とドームシートおよび回路基板との合体を示す斜視図である。また、図４は、遮光シートの取り付け状態を説明する説明図である。また、図５は、図１の要部拡大Ａ−Ａ断面図である。
【００１９】
図２に示すように、固定フロントケース１１０の上面には、複数のテンキー１１１を有する操作パネル１１５を配置している。また、この固定フロントケース１１０の内部には、図２に示すように、上から導光シート部材４００と、ドームシート６００と回路基板５００とがそれぞれ積層された状態で設けられている。
【００２０】
導光シート部材４００は、固定フロントケース１１０の形状および大きさとほぼ同一となるように成形され、本体部４１０の角部には、取り付け部４２０および取り付け部４３０が設けられている。また、この本体部４１０には、テンキー１１１の形成位置とほぼ一致する複数の円形の凸面部４１１が形成されている。
【００２１】
また、この導光シート部材４００の厚さ寸法は、操作パネル１１５のテンキー１１１に対する押圧感（クリック度合い）に影響するため、薄肉状のシート部材が選定されている。前述したように、導光シート部材４００により発光素子（ＬＥＤ）７００から放射される光を、操作パネル１１５の下方位置に導くとともに、面状に拡散させることができる。
【００２２】
また、ドームシート６００も導光シート部材４００の形状および大きさとほぼ同一となるように成形され、本体部６１０の角部には、取り付け部６２０および取り付け部６３０が設けられている。
【００２３】
すなわち、図３に示すように、導光シート部材４００の取り付け部４２０、４３０とドームシート６００の取り付け部６２０、６３０との位置を一致させることにより、導光シート部材４００とドームシート６００と回路基板５００とを合体させることができる。
【００２４】
また、このドームシート６００の本体部６１０には、テンキー１１１の形成位置とほぼ一致する複数の円形の凸面部６１１が形成されている。また、このドームシート６００には皿ばねが設けられており、このドームシート６００に設けられた皿ばねにより操作パネル１１５のテンキー１１１の押下に基づいて、接点Ｐ(図５)の導通（ＯＮ）が有効となる。
【００２５】
また、遮光シート３５０は、発光素子（ＬＥＤ）７００から照射される光（導光シート部材４００により導かれる光以外の光）を隠蔽する本体部３５１と、この遮光シート３５０を回路基板５００に取り付け固定する一対の取り付け片３５２(図４)とを備えている。
【００２６】
また、この遮光シート３５０の内部は、光の隠蔽性が高い黒色素材からなる黒色シート部材と光の拡散性が高い白色素材からなる白色シート部材と粘着層を有する粘着シート部材との３層であり、このうち、黒色シート部材が表面側に位置するように配置するので、この遮光シート３５０により発光素子（ＬＥＤ）７００から照射された光が外部に漏れることを防止している。
【００２７】
また、回路基板５００は、全体が平板状に形成され、本体部５１０の一端側（図４の右側）には、先端部に２箇所の凹面５２２、５２３を有する凹面部５２０が形成されている。この凹面部５２０の２箇所の凹面５２２、５２３には、遮光シート３５０の一対の取り付け片３５２(図４)が係合するようになっている。これにより、回路基板５００の所定位置に遮光シート３５０を取り付け固定することができる。また、この回路基板５００の一端側（図２の左側）には、２個の発光素子（ＬＥＤ）７００が設けられており、この２個の発光素子７００により操作パネル１１５を下側から照光することとしている。
【００２８】
すなわち、図５に示すように、発光素子（ＬＥＤ）７００から放射される光は、導光シート部材４００により操作パネル１１５の下方位置とドームシート６００間に導かれるとともに、操作パネル１１５の下側部分において面状に拡散することとなる。すなわち、これによって、従来のように複数個の発光素子（ＬＥＤ）を設けることなく少ない発光素子（ＬＥＤ）７００で効率的に操作パネル１１５のパネル面を照光させることができる。
【００２９】
なお、本実施例１では、上述したように、操作パネル１１５の照光用に、この操作パネル１１５の一端側に２個の発光素子（ＬＥＤ）７００を設けることとしているが、この発光素子（ＬＥＤ）７００の個数は、２個に限らず、操作パネル１１５の両端部側にそれぞれ２個の発光素子（ＬＥＤ）７００を設けることとしてもよい、この場合、より広範囲に発光素子（ＬＥＤ）７００の光を使用して操作パネル１１５を下側から照光することができる。
【００３０】
以上説明したように、本実施例１の携帯電話機１０では、この携帯電話機１０の可動側筐体２００の内部には、複数のテンキー１１１が配列された操作パネル１１５の一端側に配設された２個の発光素子７００と、これら発光素子７００から放射される光を、操作パネル１１５の下方位置に導くとともに面状に拡散させる導光シート部材４００とを備えるので、少ない光源で照光部分を効率よく光らせることができるうえ、効率的にテンキーを備えた操作パネル１１５のパネル面を照光させることができ、これによって、使用する発光素子（ＬＥＤ）７００などの部品点数を削減することができる。
【００３１】
（他の実施例）
なお、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部によって固定側筐体に対して可動側筐体を重ね合わせ自在としたものであっても同様に適用することができる。 
【００３２】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置の場合にも適用することができる。
【００３３】
以上の実施例１を含む実施形態に関し、さらに以下の付記を開示する。
【００３４】
（付記１）固定側筐体と連結ヒンジ部を介して重ね合わせ自在に連結される固定側筐体とを備える携帯端末装置であって、
前記可動側筐体は、
複数のテンキーが配列された操作パネルと、
前記操作パネルの一端側に配設された少なくも２個の発光素子と、
前記発光素子から放射される光を、前記操作パネルの下方位置に導くとともに、面状に拡散させる導光シート部材とを備えることを特徴とする携帯端末装置。
【００３５】
（付記２）前記発光素子は、前記操作パネルの一端部と他端部との両側に２個毎それぞれ配設されることを特徴とする付記１に記載の携帯端末装置。
【００３６】
（付記３）前記発光素子の上面部には、前記導光シート部材に向けて照射される光以外の光の放射を遮る遮光シート部材が設けられることを特徴とする付記１に記載の携帯端末装置。
【００３７】
（付記４）前記遮光シート部材は、光の隠蔽性が高い黒色素材からなる黒色シート部材と、光の拡散性が高い白色素材からなる白色シート部材と、粘着層を有する粘着シート部材との３層部材を備え、前記白色シート部材が前記導光シート部材と対向するように前記粘着シート部材により貼り付け固定されることを特徴とする付記１に記載の携帯端末装置。
【００３８】
（付記５）前記導光シート部材は、前記操作パネルの全体形状よりも僅かに寸法が大きくなるように形成された面状のシート部材であることを特徴とする付記１に記載の携帯端末装置。
【００３９】
（付記６）前記導光シート部材は、薄肉状のシート部材により形成されることを特徴とする付記１に記載の携帯端末装置。
【図面の簡単な説明】
【００４０】
【図１】実施例１に係る携帯電話機の開放状態を示す斜視図である。
【図２】固定側筐体を構成する固定フロントケースの内部を示す分解斜視図である。
【図３】導光シートとドームシートおよび回路基板との合体を示す斜視図である。
【図４】遮光シートの取り付け状態を説明する説明図である。
【図５】図１の要部拡大Ａ−Ａ断面図である。
【符号の説明】
【００４１】
１０  携帯電話機
１００  固定側筐体
１１０  固定フロントケース
１１５  操作パネル
１２０  固定リアケース
２００  可動側筐体
２１０  可動フロントケース
２１１  表示パネル
２２０  可動リアケース
３００  連結部
３５０  遮光シート
４００  導光シート部材
【図１】
2009246821.tif 000003
【図２】
2009246821.tif 000004
【図３】
2009246821.tif 000005
【図４】
2009246821.tif 000006
【図５】
2009246821.tif 000007